(57)【要約】【課題】プローブ型の検査治具を使用した検査に対応し、且つ、検査治具によるコンタクトの塑性変形を防止することができるカードコネクタの提供。【解決手段】カードＡが挿入されるカード挿入部２が前面に開口したハウジング３と、カード挿入部２の内底部に支持され、接点部４がカード挿入部２内に突出するように形成されたバネ状の弾性接触片部５を有する複数のコンタクト６，６...とを備え、ハウジング３には、弾性接触片部５の位置に合わせてカード挿入部２内に連通した治具挿通孔７が形成され、治具挿通孔７を通して検査用治具を弾性接触片部５の上面に接触させるようにし、ハウジング３には、検査治具に押し込まれた弾性接触片部５の下面を支持させる変形防止用受け部２１，２１を備えたカードコネクタ１。【選択図】図２
2015162360.tif 000002
【特許請求の範囲】
【請求項１】
カードが挿入されるカード挿入部が前面に開口したハウジングと、前記カード挿入部の内底部に支持され、接点部が前記カード挿入部内に突出するように形成されたバネ状の弾性接触片部を有する複数のコンタクトとを備え、前記ハウジングには、前記弾性接触片部の位置に合わせて前記カード挿入部内に連通した治具挿通孔が形成され、該治具挿通孔を通して検査用治具を前記弾性接触片部の上面に接触させるようにしたカードコネクタにおいて、
前記ハウジングに、前記検査治具に押し込まれた前記弾性接触片部の下面を支持させる変形防止用受け部を備えたことを特徴とするカードコネクタ。
【請求項２】
前記弾性接触片部にその側縁より外向きに張り出した支持用凸部を一体に備え、且つ、前記変形防止用受け部を前記弾性接触片部の側部に配置し、該支持用凸部を前記変形防止用受け部に支持させるようにした請求項１に記載のカードコネクタ。
【請求項３】
前記コンタクトは、前記カード挿入部の底部に形成されたコンタクト収容溝底部に固定される固定片部を備え、前記弾性接触片部は、該固定片部の一端より折り返して該固定片部上に配置されるように形成され、前記コンタクト収容溝の開口縁部に前記変形防止用受け部を備えた請求項１又は２に記載のカードコネクタ。
【請求項４】
前記コンタクトは、切り起こし加工により前記弾性接触片部又は前記固定片部から立ち上げた形状の補強立上げ片部を一体に備え、前記検査治具に押し込まれた前記弾性接触片部が前記補強立ち上げ片を介して前記固定片部又はハウジングに支持されるようにした請求項１〜３の何れか1項に記載のカードコネクタ。
【発明の詳細な説明】
【技術分野】
【０００１】
本発明は、携帯電話機やスマートフォン等の電子機器にＩＣカード等のカードを接続するためのカードコネクタであって、実装基板との導通検査が可能なカードコネクタに関する。
【背景技術】
【０００２】
この種のカードコネクタは、前面にカード挿入部が開口したハウジングと、一端がカード挿入部の内底部に支持されて接点部がカード挿入部内に突出したばね状の弾性接触片部を有する複数のコンタクトとを備え、ＩＣカード等のカードをカード挿入部に挿入すると、カードの片面に形成されたパッド部が対応する各コンタクトの接点部と接触し、カードが各コンタクトを介して実装基板に電気的に接続されるようになっている。
【０００３】
このようなカードコネクタでは、電子機器の組み立てに際し、実装基板に実装された段階で実装基板に対する実装状態の検査を行い、各コンタクトと実装基板の接続パターンとの半田付け状態に不具合がないかを検査する場合があった。
【０００４】
そこで、このようなカードコネクタでは、各コンタクトの位置に合わせてハウジングの上面部にカード挿入部内に連通した治具挿通孔が形成され、治具挿通孔を通してプローブ型の検査治具を上方よりカード挿入部内に降下させ、検査治具の下端をコンタクトの一部に接触させることにより、各コンタクトと実装基板との導通状態等を検査できるようにしている（例えば、特許文献１を参照）。
【０００５】
従来、このような検査治具による検査に際しては、コンタクトに対し検査治具をハウジングに固定された安定した部分に接触させることが望ましいが、コネクタの小型化に伴いコンタクトの固定部を広く確保できない場合や弾性接触片部をＵ字状に折り返した形状に形成し、弾性接触片部がハウジングに対する固定部上に覆いかぶさる配置となっている場合には、検査治具をばね状の弾性接触片部の表面に接触させる場合があった。
【先行技術文献】
【特許文献】
【０００６】
【特許文献１】特開平５−８７８３２号公報
【発明の概要】
【発明が解決しようとする課題】
【０００７】
しかしながら、上述の如き従来の技術では、バネ状の弾性接触片部に検査治具を接触させた際に弾性接触片部が検査治具より過大な負荷を受けると、弾性接触片部が塑性変形してしまう虞があった。
【０００８】
本発明は、このような従来の問題に鑑み、プローブ型の検査治具を使用した検査に対応し、且つ、検査治具によるコンタクトの塑性変形を防止することができるカードコネクタの提供を目的としてなされたものである。
【課題を解決するための手段】
【０００９】
上述の如き従来の問題を解決し、所期の目的を達成するための請求項1に記載の発明の特徴は、カードが挿入されるカード挿入部が前面に開口したハウジングと、前記カード挿入部の内底部に支持され、接点部が前記カード挿入部内に突出するように形成されたバネ状の弾性接触片部を有する複数のコンタクトとを備え、前記ハウジングには、前記弾性接触片部の位置に合わせて前記カード挿入部内に連通した治具挿通孔が形成され、該治具挿通孔を通して検査用治具を前記弾性接触片部の上面に接触させるようにしたカードコネクタにおいて、前記ハウジングに、前記検査治具に押し込まれた前記弾性接触片部の下面を支持させる変形防止用受け部を備えたカードコネクタにある。
【００１０】
請求項２に記載の発明の特徴は、請求項１の構成に加え、前記弾性接触片部にその側縁より外向きに張り出した支持用凸部を一体に備え、且つ、前記変形防止用受け部を前記弾性接触片部の側部に配置し、前記支持用凸部を前記変形防止用受け部に支持させるようにしたことにある。
【００１１】
請求項３に記載の発明の特徴は、請求項１又は２の構成に加え、前記コンタクトは、前記カード挿入部の底部に形成されたコンタクト収容溝底部に固定される固定片部を備え、前記弾性接触片部は、該固定片部の一端より折り返して該固定片部上に配置されるように形成され、前記コンタクト収容溝の開口縁部に前記変形防止用受け部を備えたことにある。
【００１２】
請求項４に記載の発明の特徴は、請求項１〜３の何れか1項の構成に加え、前記弾性接触片部又は前記固定片部に切り起こし加工により一体に形成された補強立ち上げ片を備え、前記弾性接触片部が検査治具に押し込まれた際に前記弾性接触片部が前記補強立ち上げ片を介して前記固定片部又はハウジングに支持されるようにしたことにある。
【発明の効果】
【００１３】
本発明に係るカードコネクタは、上述したように、カードが挿入されるカード挿入部が前面に開口したハウジングと、前記カード挿入部の内底部に支持され、接点部が前記カード挿入部内に突出するように形成されたバネ状の弾性接触片部を有する複数のコンタクトとを備え、前記ハウジングには、前記弾性接触片部の位置に合わせて前記カード挿入部内に連通した治具挿通孔が形成され、該治具挿通孔を通して検査用治具を前記弾性接触片部の上面に接触させるようにしたカードコネクタにおいて、前記ハウジングに、前記検査治具に押し込まれた前記弾性接触片部の下面を支持させる変形防止用受け部を備えたことにより、弾性接触片部に検査治具から過剰な負荷が作用した場合、弾性接触片部を変形防止用受け部で支持するので弾性接触片部の塑性変形を防止することができる。
【００１４】
また、本発明において、前記弾性接触片部にその側縁より外向きに張り出した支持用凸部を一体に備え、且つ、前記変形防止用受け部を前記弾性接触片部の側部に配置し、前記支持用凸部を前記変形防止用受け部に支持させるようにしたことにより、弾性接触片部に検査治具が接触する部分の面積が広く確保され、検査治具の位置ずれにも対応することができる。
【００１５】
更に本発明において、前記コンタクトは、前記カード挿入部の底部に形成されたコンタクト収容溝底部に固定される固定片部を備え、前記弾性接触片部は、該固定片部の一端より折り返して該固定片部上に配置されるように形成され、前記コンタクト収容溝の開口縁部に形成された前記変形防止用受け部に前記支持用凸部を支持させるようにしたことにより、カードコネクタの小型化に対応するとともに、係るコンタクト形状においても検査治具に押し込まれた弾性接触片部を好適に支持することができる。
【００１６】
更にまた、本発明において、前記弾性接触片部又は前記固定片部に切り起こし加工により一体に形成された補強立ち上げ片を備え、前記弾性接触片部が検査治具に押し込まれた際に前記弾性接触片部が前記補強立ち上げ片を介して前記固定片部又はハウジングに支持されるようにしたことにより、弾性接触片部をより安定した状態で支持することができる。
【図面の簡単な説明】
【００１７】
【図１】（ａ）は本発明に係るカードコネクタの一例を示す正面図、（ｂ）は同平面図である。
【図２】（ａ）は同Ａ−Ａ線断面図、（ｂ）は同Ｂ−Ｂ線断面図である。
【図３】同上のカードコネクタの背面側から見た分解斜視図である。
【図４】（ａ）図３中のモールド部材を示す平面図、（ｂ）は同背面図、（ｃ）は同Ｃ−Ｃ線断面図、（ｄ）は同Ｄ−Ｄ線断面図である。
【図５】（ａ）は図２中のコンタクトを示す拡大斜視図、（ｂ）は同拡大縦断面図である。
【図６】コンタクトをモールド部材に取り付けた状態を示すシールドカバーを外した部分拡大平面図である。
【図７】（ａ）は導通検査の状態を示す部分拡大縦断面図、（ｂ）は同Ｅ−Ｅ線断面図である。
【発明を実施するための形態】
【００１８】
次に、本発明に係るカードコネクタの実施の態様を図１〜図７に示した実施例に基づいて説明する。尚、図中符号ＡはＩＣカードやフラッシュメモリーカード等のカード、符号１はカードコネクタである。
【００１９】
このカードコネクタ１は、カードＡが挿入されるカード挿入部２が前面に開口したハウジング３と、カード挿入部２の内底部に支持され、接点部４がカード挿入部２内に突出するように形成されたバネ状の弾性接触片部５を有する複数のコンタクト６，６...とを備え、ＩＣカード等のカードＡをカード挿入部２に挿入すると、カードＡの片面に形成されたパッド部（図示せず）が対応する各コンタクト６，６...の接点部４と接触し、カードＡが各コンタクト６，６...を介してコネクタが実装された基板に電気的に接続されるようになっている。
【００２０】
また、このカードコネクタ１は、ハウジング３にコンタクト６，６...の弾性接触片部５の位置に合わせて長孔状の治具挿通孔７が形成され、この治具挿通孔７を通して導通検査等に使用されるプローブ型の検査用治具８を降下させ、弾性接触片部５の上面に接触させられるようになっている。
【００２１】
ハウジング３は、図３に示すように、導電性金属板材からなるシールドカバー１０と、絶縁性合成樹脂材からなるモールド部材１１とを備え、シールドカバー１０とモールド部材１１とを組み付けることにより前面に開口しカード挿入部２が形成されるようになっている。
【００２２】
シールドカバー１０は、導電性金属板材を折り返し加工することにより形成され、平板状の天板部１２と、天板部１２の両側縁より鉛直下向きに折り曲げた形状の側板部１３，１３とを備え、天板部１２と両側板部１３，１３とが下面側に開口したコ字状を成し、その内側にモールド部材１１が組みつけられるようになっている。
【００２３】
天板部１２には、コンタクト６，６...の弾性接触片部５の位置に合わせ、且つ、各コンタクト６，６...に対応する部分を一つに繋げた長孔状に治具挿通孔７が形成されている。
【００２４】
また、天板部１２の後縁側には、鉛直下向きに折り曲げた形状のストッパー板部１４を備え、シールドカバー１０とモールド部材１１とを組み付けた際に、このストッパー板部１４がカード挿入部２の後端部に配置され、カードＡの前端縁が当て止めされるようになっている。
【００２５】
モールド部材１１は、図４に示すように、絶縁性合成樹脂材により全高がシールドカバー１０の側板部１３，１３の全高より低い横長の直方体状に形成され、シールドカバー１０とモールド部材１１とを組み付けることにより、モールド部材１１の上面と天板部１２との間に前面に開口したカード挿入部２が形成されるようになっている。
【００２６】
モールド部材１１の上面部には、コンタクト６，６...がそれぞれ背面側より圧入される複数のコンタクト収容溝２０，２０...が互いに平行配置に形成され、このコンタクト収容溝２０，２０...の両側部に検査用治具８に押し込まれた弾性接触片部５の下面を支持させる変形防止用受け部２１，２１を備えている。
【００２７】
各コンタクト収容溝２０，２０...は、モールド部材１１の上面及び背面に開口した両内側部に段部を有する断面逆凸状に形成され、段部上面が変形防止用受け部２１，２１を形成している。
【００２８】
また、コンタクト収容溝２０，２０...には、上面開口内側縁に内向きに突出した突条２２，２２が形成され、底部両側縁に後述するコンタクト６，６...の固定片部３０両側縁が挿し込まれる係止溝２３，２３が形成されている。
【００２９】
各コンタクト６，６...は、図５に示すように、弾性を有する導電性金属板材を打ち抜き・折り曲げ加工することにより形成され、コンタクト収容溝２０，２０...の底部に固定される固定片部３０と、固定片部３０の一端より折り返し部３１を介して折り返して固定片部３０上に配置される弾性接触片部５と、固定片部３０の他端側より下向きに延出した形状の基板接続片部３２とを備え、固定片部３０、折り返し部３１及び弾性接触片部５が側面視Ｕ字状を成している。
【００３０】
固定片部３０は、後端側に幅広な拡幅部３０ａを有する細長平板状に形成され、その両側部略中央部に係止突片３３，３３が一体に突設され、コンタクト６，６...をモールド部材１１の背面側よりコンタクト収容溝２０，２０...内に圧入した際に、両係止突片３３，３３がコンタクト収容溝２０，２０...の底部両側部の係止溝２３，２３内面に食い込むとともに、拡幅部３０ａの両側縁が係止溝２３，２３に挿し込まれて固定片部３０がコンタクト収容溝２０，２０...底部に固定される。
【００３１】
また、この固定片部３０には、弾性接触片部５の位置に合わせて、切り起こし加工により先端側を弾性接触片部５側に向けて立ち上げた形状の補強立ち上げ片３４を備えている。
【００３２】
補強立ち上げ片３４は、図５に示すように、固定片部３０に折り返し部３１側に開口したコ字状の切れ目を入れ、その一端側を引き起こすことで弾性接触片部５と交差する方向に向けて立ち上げた形状に形成されている。
【００３３】
この補強立ち上げ片３４は、固定片部３０に対し、やや斜めに傾いて立ち上げた形状であって、その先端と弾性接触片部５との間に一定の隙間が介在するように形成されている。
【００３４】
弾性接触片部５は、固定片部３０の一端より円弧状に湾曲させた折り返し部３１の他端（上端）より略水平に向けて延出した形状の弾性基部４０と、弾性基部４０の他端より斜め上向きに延出した形状の弾性動作部４１と、弾性動作部４１の先端に一体に形成された円弧状の接点部４とを備え、固定片部３０に折り返し部３１を介して一端が支持された片持ちバネ状を成している。
【００３５】
また、弾性接触片部５には、接点部４の下端より斜め方向に延出した下向き延長部４２と、下向き延長部４２の下縁より水平内向き折り曲げた形状の抜け出し規制部４３とを備えている。
【００３６】
弾性基部４０は、その幅がコンタクト収容溝２０，２０...の底部幅よりやや狭く形成され、プローブ型の検査用治具８先端が接触する治具接触部を兼ねるとともに、その中央両側縁より外向きに張り出した支持用凸部４４，４４を一体に備えている。
【００３７】
また、弾性基部４０は、コンタクト６，６...がモールド部材１１に固定された状態において、図６に示すように、コンタクト収容溝２０，２０...の上面開口を通してモールド部材１１の上面に露出するとともに、両支持用凸部４４，４４が変形防止用受け部２１，２１上に一定の距離を隔てて浮いた状態に位置するように形成されている。
【００３８】
弾性動作部４１は、弾性基部４０より幅が狭く形成され、コンタクト収容溝２０，２０...の上面開口の両突条２２，２２間より接点部４とともにモールド部材１１、即ち、カード挿入部２の内底面よりカード挿入部２内に突出するようになっている。
【００３９】
一方、抜け出し規制部４３の両側部には、水平幅方向に突出した抜け出し規制片４３ａ，４３ａが一体に突設され、この抜け出し規制片４３ａ，４３ａが突条２２，２２の下側に入り込むことにより、弾性動作部４１が必要以上にカード挿入部２側に突出するのを防止するようになっている。
【００４０】
基板接続片部３２は、固定片部３０の一端より鉛直下向きに折り曲げた形状の下向き延出部４５と、下向き延出部４５の下縁より水平方向背面側に延出した接続部４６とを備え、接続部４６がモールド部材１１の下面に露出され、実装基板に形成された接続パターンに半田付け等により接続されるようになっている。
【００４１】
このように構成されたカードコネクタ１は、図７に示すように、治具挿通孔７を通してプローブ型の検査用治具８を降下させると、検査用治具８の下端が弾性基部４０の上面に接触し、検査用治具８からの負荷により弾性接触片部５全体が撓む。
【００４２】
そして、弾性接触片部５は、一定の撓み量を超えると、両支持用凸部４４，４４が各変形防止用受け部２１，２１に当て止めされるとともに、それと略同時に、補強用立ち上がり片の先端に弾性接触片部５の弾性基部４０下面が接触する。
【００４３】
これにより、弾性接触片部５に検査用治具８から過剰な負荷が作用しても、弾性接触片部５の下面が変形防止用受け部２１，２１に支持されるとともに、補強立ち上げ片３４を介して固定片部３０に支持されるので、弾性接触片部５がそれ以上押し下げられず、塑性変形が防止される。
【００４４】
また、このカードコネクタ１では、弾性接触片部５の検査用治具８を接触させる治具接触部に外向きに張り出した支持用凸部４４，４４を備えたことにより、治具接触部（弾性基部４０）の面積を広く確保できるので、図７（ｂ）中に一点鎖線で示すように、検査用治具８の接触位置にずれが生じた場合であっても、そのずれを吸収することができるようになっている。
【００４５】
尚、上述の実施例では、固定片部３０の一端より折り返して固定片部３０上に弾性接触片部５が配置されるように形成されたコンタクト６，６...を使用する例について説明したが、コンタクト６，６...の態様はこれに限定されず、例えば、弾性接触片部５がハウジング３に固定される部分から斜め上向きに延出した形状のものであってもよい。
【００４６】
また、変形防止用受け部２１の態様は、上述の実施例に限定されず、例えば、変形防止用受け部２１をコンタクト収容溝２０の片側のみに設けてもよく、弾性接触片部がハウジング３に固定される部分から斜め上向きに延出した形状のものの場合、弾性接触片部５の下面中央部を支持させるようにしたものであってもよい。
【００４７】
また、上述の実施例では、固定片部３０に切り起こし加工による補強立ち上げ片３４を設けた例について説明したが、補強立ち上げ片３４を設けずともよい。
【００４８】
更に、上述の実施例では、治具挿通孔７を各コンタクト６，６...に対応する部分を一つに繋げた一つの長孔状に形成した例について説明したが、コンタクト６，６...毎にシールドカバー１０天板部１２の対応する位置に治具挿通孔７を設けてもよい。
【符号の説明】
【００４９】
Ａ  カード
１  カードコネクタ
２  カード挿入部
３  ハウジング
４  接点部
５  弾性接触片部
６  コンタクト
７  治具挿通孔
８  検査用治具
１０  シールドカバー
１１  モールド部材
１２  天板部
１３  側板部
１４  ストッパー板部
２０  コンタクト収容溝
２１  変形防止用受け部
２２  突条
２３  係止溝
３０  固定片部
３１  折り返し部
３２  基板接続片部
３３  係止突片
４０  弾性基部
４１  弾性動作部
４２  下向き延長部
４３  抜け出し規制部
４４  支持用凸部
４５  下向き延出部
４６  接続部
【図１】
2015162360.tif 000003
【図２】
2015162360.tif 000004
【図３】
2015162360.tif 000005
【図４】
2015162360.tif 000006
【図５】
2015162360.tif 000007
【図６】
2015162360.tif 000008
【図７】
2015162360.tif 000009